(57)【特許請求の範囲】
【請求項１】
組立可能な複数の部材から構成され、
前記複数の部材は、少なくとも１つの筒状の部材を含み、他の部材は、前記筒状の部材の内部に収容可能な大きさと形状を有し、
前記複数の部材は、
前記筒状の部材を曲げたコの字状をなして互いに対向して配置され、各端部から延びる２つの支柱部、前記２つの支柱部のそれぞれに接続して湾曲する２つの湾曲部、及び、当該２つの湾曲部の間を接続する上枠部を含む第１主部材と第２主部材と、
前記第１主部材と前記第２主部材の対向する湾曲部同士を接続する第１上枠部材と第２上枠部材と、
を備え、
前記第１主部材と前記第２主部材の各々が有する２つの湾曲部は、各々、前記筒状の部材から切り欠いて湾曲させた形状を有し、
前記第１上枠部材と前記第２上枠部材は、前記湾曲部の各々が伸展した前記第１主部材及び前記第２主部材の内部に収容される大きさと形状を有する、
ことを特徴とする組み立て式什器。
【請求項２】
前記第１主部材の上枠部と前記第２主部材の上枠部と前記第１上枠部材と前記第２上枠部材と、で形成される領域に配置される可撓性の面部材を備え、
前記面部材は、前記湾曲部の各々が伸展した前記第１主部材又は前記第２主部材の内部に収容される大きさである、
ことを特徴とする請求項１に記載の組み立て式什器。
【請求項３】
前記第１主部材が有する支柱部の間を接続する第１補強部材と、
前記第２主部材が有する支柱部の間を接続する第２補強部材と、
前記第１主部材及び前記第２主部材が有する支柱部のうち、互いに対向する前記支柱部の各組の間を接続する第３補強部材及び第４補強部材と、を備え、
前記第１主部材の各支柱部は、前記第１補強部材、前記第３補強部材及び前記第４補強部材のそれぞれが挿設される第１孔部、第３孔部及び第４孔部を有し、
前記第２主部材の各支柱部は、前記第２補強部材、前記第３補強部材及び前記第４補強部材のそれぞれが挿設される第２孔部、前記第３孔部及び前記第４孔部を有する、
ことを特徴とする請求項１又は２に記載の組み立て式什器。
【請求項４】
前記第１から第４の補強部材の対向する２つの間に巻かれる帯状で可撓性を有する帯部材をさらに備え、
前記帯部材は、前記湾曲部の各々が伸展した前記第１主部材及び前記第２主部材の内部に収容される大きさである、
ことを特徴とする請求項３に記載の組み立て式什器。
【請求項５】
組立可能な複数の部材から構成され、
前記複数の部材は、少なくとも１つの筒状の部材を含み、他の部材は、前記筒状の部材の内部に収容可能な大きさと形状を有し、
前記複数の部材は、
前記筒状の部材を曲げたコの字状をなし、各端部から延びる２つの支柱部、前記２つの支柱部のそれぞれに接続して湾曲する２つの湾曲部、及び、当該２つの湾曲部の間を接続する上枠部を含む主部材と、
前記主部材の前記湾曲部に一端部が接続された第１上枠部材と第２上枠部材と、
前記第１上枠部材と前記第２上枠部材の他端部を支持する支柱部と、
を備え、
前記主部材が有する２つの湾曲部は、前記筒状の部材から切り欠いて湾曲させた形状を有し、
前記第１上枠部材と前記第２上枠部材は、前記湾曲部の各々が伸展した前記主部材の内部に収容される大きさと形状を有する、
ことを特徴とする組み立て式什器。
【請求項６】
組立可能な複数の部材から構成され、
前記複数の部材は、少なくとも１つの筒状の部材を含み、他の部材は、前記筒状の部材の内部に収容可能な大きさと形状を有し、
前記複数の部材は、
それぞれ前記筒状の部材を曲げたくの字状をなし、２つの支柱部と湾曲部を含み、対向して配置された第１主部材と第２主部材と、
前記第１主部材の湾曲部と前記第２主部材の湾曲部とに接続される上枠部材と、
前記第１主部材と前記第２主部材の支柱部に支持された水平部材と、
を含み、
前記第１主部材と前記第２主部材の湾曲部は、前記筒状の部材から切り欠いて湾曲させた形状をなし、
前記上枠部材と前記水平部材は、前記湾曲部が伸展した前記第１主部材又は前記第２主部材の内部に収容される大きさを有する、
ことを特徴とする組み立て式什器。
【発明の詳細な説明】
【技術分野】
【０００１】
本発明は、組み立て式什器に関する。
【背景技術】
【０００２】
特許文献１には、什器の運搬を容易にするため、紙製又はプラスチック製の段ボール又は板材で什器を組み立てる方法が開示されている。
【０００３】
特許文献１に記載の方法では、複数の支持板に、矩形板状の複数の脚板を、噛合用スリットと噛合用スリットとを介して噛み合わせることにより骨枠が形成される。また、複数の側壁を折り目を介して連設し、その両端部に側壁接合用フラップを折り目を介し連設した平板状周壁材と、天板とが形成される。さらに、平板状周壁材を折曲して、骨枠の外周面側を被包すると共に、側壁接合用フラップを重合して、骨枠の支持板に噛合用スリットを介して噛み合わせることにより筒状にした周壁材が骨枠に固定され、筒状周壁材の上端部に天板が取り付けられる。
【先行技術文献】
【特許文献】
【０００４】
【特許文献１】特開２０１２−２４５０６８号公報
【発明の概要】
【発明が解決しようとする課題】
【０００５】
特許文献１に記載の什器は、複数の支持板、複数の脚板、平板状周壁材、天板などといった多数の個別の部材から構成される。そのため、特許文献１に記載の什器を組み立てる前の分解した状態では、什器を構成する各部材を個別に運搬することは困難である。
【０００６】
多数の部材を容器などに収容して運搬することも考えられるが、この場合、多数の部材を収容するための容器などを準備する手間が掛かる。さらに、什器を構成する部材の中には、平板状周壁材、天板などといった形状が大きく異なった比較的サイズの大きな部材があるので、これらを収容する容器などのサイズも大きくなる。これでは、たとえ多数の部材を容器などに収容してまとめたとしても、その容器などを運搬することが困難になる。
【０００７】
本発明は、上述の事情に鑑みてなされたもので、分解した状態でより容易に運搬することが可能な組み立て式什器を提供することを目的とする。
【課題を解決するための手段】
【０００８】
上記目的を達成するため、本発明の第１の観点に係る組み立て式什器は、
組立可能な複数の部材から構成され、
前記複数の部材は、少なくとも１つの筒状の部材を含み、他の部材は、前記筒状の部材の内部に収容可能な大きさと形状を有し、
前記複数の部材は、
前記筒状の部材を曲げたコの字状をなして互いに対向して配置され、各端部から延びる２つの支柱部、前記２つの支柱部のそれぞれに接続して湾曲する２つの湾曲部、及び、当該２つの湾曲部の間を接続する上枠部を含む第１主部材と第２主部材と、
前記第１主部材と前記第２主部材の対向する湾曲部同士を接続する第１上枠部材と第２上枠部材と、
を備え、
前記第１主部材と前記第２主部材の各々が有する２つの湾曲部は、各々、前記筒状の部材から切り欠いて湾曲させた形状を有し、
前記第１上枠部材と前記第２上枠部材は、前記湾曲部の各々が伸展した前記第１主部材及び前記第２主部材の内部に収容される大きさと形状を有する、
ことを特徴とする。
【００１０】
例えば、前記第１主部材の上枠部と前記第２主部材の上枠部と前記第１上枠部材と前記第２上枠部材と、で形成される領域に配置される可撓性の面部材を備え、
前記面部材は、前記湾曲部の各々が伸展した前記第１主部材又は前記第２主部材の内部に収容される大きさを有してもよい。
【００１１】
前記部材は、例えば、
前記第１主部材が有する支柱部の間を接続する第１補強部材と、
前記第２主部材が有する支柱部の間を接続する第２補強部材と、
前記第１主部材及び前記第２主部材が有する支柱部のうち、互いに対向する前記支柱部の各組の間を接続する第３補強部材及び第４補強部材と、を備え、
前記第１主部材の各支柱部は、前記第１補強部材、前記第３補強部材及び前記第４補強部材のそれぞれが挿設される第１孔部、第３孔部及び第４孔部を有し、
前記第２主部材の各支柱部は、前記第２補強部材、前記第３補強部材及び前記第４補強部材のそれぞれが挿設される第２孔部、前記第３孔部及び前記第４孔部を有してもよい。
【００１２】
前記第１から第４の補強部材の対向する２つの間に巻かれる帯状で可撓性を有する帯部材をさらに備え、
前記帯部材は、前記湾曲部の各々が伸展した前記第１主部材及び前記第２主部材の内部に収容される大きさを有してもよい。
【００１３】
上記目的を達成するため、本発明の第２の観点に係る組み立て式什器は、
組立可能な複数の部材から構成され、
前記複数の部材は、少なくとも１つの筒状の部材を含み、他の部材は、前記筒状の部材の内部に収容可能な大きさと形状を有し、
前記複数の部材は、
前記筒状の部材を曲げたコの字状をなし、各端部から延びる２つの支柱部、前記２つの支柱部のそれぞれに接続して湾曲する２つの湾曲部、及び、当該２つの湾曲部の間を接続する上枠部を含む主部材と、
前記主部材の前記湾曲部に一端部が接続された第１上枠部材と第２上枠部材と、
前記第１上枠部材と前記第２上枠部材の他端部を支持する支柱部と、
を備え、
前記主部材が有する２つの湾曲部は、前記筒状の部材から切り欠いて湾曲させた形状を有し、
前記第１上枠部材と前記第２上枠部材は、前記湾曲部の各々が伸展した前記主部材の内部に収容される大きさと形状を有する、
ことを特徴とする。
【００１４】
上記目的を達成するため、本発明の第３の観点に係る組み立て式什器は、
組立可能な複数の部材から構成され、
前記複数の部材は、少なくとも１つの筒状の部材を含み、他の部材は、前記筒状の部材の内部に収容可能な大きさと形状を有し、
前記複数の部材は、
それぞれ前記筒状の部材を曲げたくの字状をなし、２つの支柱部と湾曲部を含み、対向して配置された第１主部材と第２主部材と、
前記第１主部材の湾曲部と前記第２主部材の湾曲部とに接続される上枠部材と、
前記第１主部材と前記第２主部材の支柱部に支持された水平部材と、
を含み、
前記第１主部材と前記第２主部材の湾曲部は、前記筒状の部材から切り欠いて湾曲させた形状をなし、
前記上枠部材と前記水平部材は、前記湾曲部が伸展した前記第１主部材又は前記第２主部材の内部に収容される大きさを有する、
ことを特徴とする。
【発明の効果】
【００１５】
本発明によれば、分解した状態において、組み立て式什器を構成する部材を何れかの部材の内部に収容できる。そのため、分解した状態でより容易に運搬することが可能になる。
【図面の簡単な説明】
【００１６】
【図１】本発明の一実施の形態に係る組み立て式什器を組み立てた状態で第１の方向から見た斜視図である。
【図２】一実施の形態に係る組み立て式什器を組み立てた状態で第２の方向から見た斜視図である。
【図３】一実施の形態に係る組み立て式什器を組み立てた状態で第３の方向から見た斜視図である。
【図４】一実施の形態に係る組み立て式什器を組み立てた状態で第４の方向から見た斜視図である。
【図５】一実施の形態に係る組み立て式什器を組み立てた状態で示す正面図である。
【図６】一実施の形態に係る組み立て式什器を組み立てた状態で示す背面図である。
【図７】一実施の形態に係る組み立て式什器を組み立てた状態で示す右側面図である。
【図８】一実施の形態に係る組み立て式什器を組み立てた状態で示す左側面図である。
【図９】一実施の形態に係る組み立て式什器を組み立てた状態で示す平面図である。
【図１０】一実施の形態に係る組み立て式什器を組み立てた状態で示す底面図である。
【図１１】一実施の形態に係る組み立て式什器を構成する各部材を示す図である。
【図１２】一実施の形態に係る組み立て式什器を組み立てる途中の第１の状態を説明するための図である。
【図１３】一実施の形態に係る組み立て式什器を組み立てる途中の第２の状態を説明するための図である。
【図１４】一実施の形態に係る組み立て式什器を組み立てる途中の第３の状態を説明するための図である。
【図１５】一実施の形態に係る組み立て式什器を組み立てる途中の第４の状態を説明するための図である。
【図１６】一実施の形態に係る組み立て式什器を構成する部材のうち、第１主部材及び第２主部材以外の部材を第１主部材及び第２主部材に収容する一例を示す図である。
【図１７】変形例１に係る組み立て式什器を組み立てた状態で示す斜視図である。
【図１８】変形例１に係る組み立て式什器を構成する各部材を示す図である。
【図１９】変形例２に係る組み立て式什器を組み立てた状態で示す斜視図である。
【図２０】変形例２に係る組み立て式什器を構成する各部材を示す図である。
【図２１】変形例３に係る組み立て式什器を組み立てた状態で示す斜視図である。
【図２２】変形例３に係る組み立て式什器を面部材を取りつけた状態で示す図である。
【図２３】変形例３に係る組み立て式什器を構成する各部材を示す図である。
【図２４】変形例４に係る組み立て式什器を組み立てた状態で示す斜視図である。
【図２５】変形例４に係る組み立て式什器を面部材を取りつけた状態で示す図である。
【図２６】変形例４に係る組み立て式什器を構成する各部材を示す図である。
【図２７】変形例５に係る組み立て式什器を組み立てた状態で示す斜視図である。
【図２８】変形例５に係る組み立て式什器を面部材を取りつけた状態で示す図である。
【図２９】変形例５に係る組み立て式什器を構成する各部材を示す図である。
【図３０】変形例６に係る組み立て式什器を組み立てた状態で示す斜視図である。
【図３１】変形例６に係る組み立て式什器を面部材を取りつけた状態で示す図である。
【図３２】変形例６に係る組み立て式什器を構成する各部材を示す図である。
【図３３】変形例７に係る組み立て式什器を組み立てた状態で示す斜視図である。
【図３４】変形例７に係る組み立て式什器を構成する各部材を示す図である。
【発明を実施するための形態】
【００１７】
以下、本発明の一実施の形態について、図面を参照しつつ説明する。全図を通じて同一の要素には同一の符号を付す。また、前後左右上下の用語は、方向を説明するために用いるのであって、本発明を限定する趣旨ではない。
【００１８】
（実施の形態１）
本発明の実施の形態１に係る組み立て式什器１０は、図１〜１１に示すように、複数の部材１１〜２８から組み立てられる椅子である。組み立て式什器１０を構成する各部材１１〜２８は、例えば紙、樹脂などを材料として作られる。
【００１９】
図１は、組み立て式什器１０を組み立てた状態で右上前方から見た斜視図である。図２は、組み立て式什器１０を組み立てた状態で左下前方から見た斜視図である。図３及び図４は、組み立て式什器１０を組み立てた状態で、左上後方の異なる角度から見た斜視図である。図５〜１０のそれぞれは、組み立て式什器１０を組み立てた状態での正面図、背面図、右側面図、左側面図、平面図、底面図である。図１１は、組み立て式什器１０を分解した状態、すなわち、組み立て式什器１０を構成する各部材１１〜２８が分離した状態を示す図である。
【００２０】
組み立て式什器１０は、前後方向に互いに対向して配置された概ねコの字状の第１主部材１１及び第２主部材１２と、円筒状の第１上枠部材１３及び第２上枠部材１４と、帯状で可撓性を有する５つの第１帯部材１５ａ〜１５ｂと、帯状で可撓性を有する４つの第２帯部材１８と、帯状で可撓性を有する４つの第３帯部材１９ａ〜１９ｂと、円筒状をなす２つの第３補強部材２０ａ〜２０ｂと、円筒状をなす２つの第４補強部材２１ａ〜２１ｂと、円筒状をなす第５補強部材２２及び第６補強部材２３と、帯状で可撓性を有する３つの第４帯部材２４と、円筒状をなす第７補強部材２５と、円筒状をなす２つの第８補強部材２６と、４つのキャップ２７と、ラベル２８と、第２帯部材１８に隠れて配置されている円筒状の２つの第１補強部材１６（図１１）と、第３帯部材１９ａ〜１９ｂに隠れて配置されている円筒状の２つの第２補強部材１７ａ〜１７ｂ（図１１）と、を備える。
【００２１】
第１主部材１１は、例えば図１に示すように、概ね円筒状の部材が曲げられたコの字状をなす部材であって、２つの支柱部３１ａ〜３１ｂと、２つの湾曲部３２ａ〜３２ｂと、上枠部３３とを有する。さらに、第１主部材１１は、図１１に示すように、４つの第１孔部３４ａ〜３４ｄと、２つの第３孔部３５ａ〜３５ｂと、２つの第４孔部３６ａ〜３６ｂとを有する。
【００２２】
２つの支柱部３１ａ〜３１ｂは、例えば図１に示すように、各下端部から平行に等しい長さで上方へ延びる部分である。ここで、平行であることは、組み立て式什器１０が椅子としての機能を発揮できる程度に、２つの支柱部３１ａ〜３１ｂの軸が均一の間隔で配置されることを意味する。また、長さが等しいとは、組み立て式什器１０が椅子としての機能を発揮できる程度に、２つの支柱部３１ａ〜３１ｂの軸の長さが等しいことを意味する。
【００２３】
２つの湾曲部３２ａ〜３２ｂは、例えば図１に示すように、２つの支柱部３１ａ〜３１ｂのそれぞれに接続して湾曲する部分であり、筒状の部材の一部を切り欠いた残部を湾曲させた形状をなす。
【００２４】
詳細には、組み立て式什器１０を組み立てた状態で、湾曲部３２ａは、支柱部３１ａの左方に接続しており、この接続した部分から上方へ延びた後に、第１上枠部材１３の前端部近傍の外周面に当接しつつ右方へ湾曲して延びる。湾曲部３２ｂは、支柱部３１ｂの右方に接続しており、この接続した部分から上方へ延びた後に、第２上枠部材１４の前端部近傍の外周面に当接しつつ左方へ湾曲して延びる。
【００２５】
上枠部３３は、左右に延びて２つの湾曲部３２ａ〜３２ｂの間を接続する部分である。詳細には、上枠部３３は、左端において湾曲部３２ａに接続し、右端において湾曲部３２ｂに接続する。
【００２６】
第１孔部３４ａ〜３４ｄ、第３孔部３５ａ〜３５ｂ及び第４孔部３６ａ〜３６ｂは、図１１に示すように、第１主部材１１の支柱部３１ａ，３１ｂに設けられている。第１孔部３４ａ〜３４ｄ、第３孔部３５ａ〜３５ｂ及び第４孔部３６ａ〜３６ｂは、それぞれ、第１補強部材１６、第３補強部材２０ａ〜２０ｂ及び第４補強部材２１ａ〜２１ｂがほぼ隙間なく挿設される孔を形成している。
【００２７】
詳細には、第１孔部３４ａと第１孔部３４ｃとは、第１主部材１１の左方の支柱部３１ａにその軸方向に並んで設けられている。第１孔部３４ａは、第１孔部３４ｃよりも、支柱部３１ａの軸方向にその端部（例えば図１に示すように組み立てた状態での下端部）から離間した位置に設けられている。第１孔部３４ｂと第１孔部３４ｄとは、第１主部材１１の右方の支柱部３１ｂにその軸方向に並んで設けられている。第１孔部３４ｂは、第１孔部３４ｄよりも、支柱部３１ｂの軸方向にその端部（例えば図１に示すように組み立てた状態での下端部）から離間した位置に設けられている。
【００２８】
第１孔部３４ａと第１孔部３４ｂは、それぞれ、支柱部３１ａの端部と支柱部３１ｂの端部から等しい距離だけ離間した位置に設けられている。また、第１孔部３４ｃと第１孔部３４ｄは、それぞれ、支柱部３１ａの端部と支柱部３１ｂの端部から等しい距離だけ離間した位置に設けられている。そのため、組み立て式什器１０を組み立てた状態では、第１孔部３４ａと第１孔部３４ｂとが左右方向に互いに対向し、第１孔部３４ｃと第１孔部３４ｄとが左右方向に互いに対向する。
【００２９】
第３孔部３５ａ〜３５ｂは、左方の支柱部３１ａにその軸方向に並んで設けられており、第３孔部３５ａは、第３孔部３５ｂよりも、支柱部３１ａの軸方向にその端部から離間した位置に設けられている。第３孔部３５ａ〜３５ｂは、左方の支柱部３１ａの軸方向から見て第１孔部３４ａ，３４ｃとは９０度ズレた方向、例えば図１に示すように組み立てた状態において後方を向いて開放する孔を形成する。
【００３０】
また、第３孔部３５ａ〜３５ｂは、左方の支柱部３１ａの軸方向に第１孔部３４ａ，３４ｃとは異なる位置に設けられている。第３孔部３５ａは、第１孔部３４ａと第１孔部３４ｃとの間に設けられており、第３孔部３５ｂは、第１孔部３４ｃよりも、支柱部３１ａの端部の近くに設けられている。
【００３１】
第４孔部３６ａ〜３６ｂは、右方の支柱部３１ｂにその軸方向に沿って設けられており、第４孔部３６ａは、第４孔部３６ｂよりも、支柱部３１ｂの軸方向にその端部から離間した位置に設けられている。第４孔部３６ａ〜３６ｂは、右方の支柱部３１ｂの軸方向から見て第１孔部３４ｂ，３４ｄとは９０度ズレた方向、例えば図１に示すように組み立てた状態において後方を向いて開放する孔を形成する。
【００３２】
また、第４孔部３６ａ〜３６ｂは、右方の支柱部３１ｂの軸方向に第１孔部３４ｂ，３４ｄとは異なる位置に設けられている。第４孔部３６ａは、第１孔部３４ｂと第１孔部３４ｄとの間に位置し、第４孔部３６ｂは、第１孔部３４ｄよりも、支柱部３１ｂの端部の近くに設けられている。
【００３３】
第２主部材１２は、例えば図１に示すように、第１主部材１１と同様に、概ね円筒状の部材が曲げられたコの字状をなす部材であり、第１主部材１１とほぼ同じ大きさを有する。第２主部材１２は、第１主部材１１が有する２つの支柱部３１ａ〜３１ｂ、２つの湾曲部３２ａ〜３２ｂ、上枠部３３、第３孔部３５ａ〜３５ｂ及び第４孔部３６ａ〜３６ｂのそれぞれに対応する、２つの支柱部３７ａ〜３７ｂ、２つの湾曲部３８ａ〜３８ｂ、上枠部３９、第３孔部３５ｃ〜３５ｄ及び第４孔部３６ｃ〜３６ｄとを有する。これに加えて、第２主部材１２は、第１主部材１１が有する第１孔部３４ａ〜３４ｄに代わる第２孔部４０ａ〜４０ｄを有する。
【００３４】
第２孔部４０ａ〜４０ｄは、第２補強部材１７ａ〜１７ｂがほぼ隙間なく挿設される孔を形成している。
【００３５】
第３孔部３５ｃ〜３５ｄ及び第４孔部３６ｃ〜３６ｄは、例えば図１に示すように組み立てた状態において、第３孔部３５ａ〜３５ｂ及び第４孔部３６ａ〜３６ｂとは異なり、前方を向いて開放する孔を形成する。
【００３６】
第３孔部３５ｃは、第２孔部４０ａよりも、支柱部３７ａの端部から離間した位置に設けられており、第３孔部３５ｄは、第２孔部４０ａと第２孔部４０ｃとの間に設けられている。
【００３７】
第４孔部３６ｃは、第２孔部４０ｂよりも、支柱部３７ｂの端部から離間した位置に設けられており、第４孔部３６ｄは、第２孔部４０ｂと第２孔部４０ｄとの間に設けられている。
【００３８】
これらを除いて、第２主部材１２は、概ね、上述の第１主部材１１の説明において、支柱部３１ａ〜３１ｂ、湾曲部３２ａ〜３２ｂ、上枠部３３、第１孔部３４ａ〜３４ｄ、第３孔部３５ａ〜３５ｂ、第４孔部３６ａ〜３６ｂ、第１上枠部材１３の前端部、第２上枠部材１４の前端部を、それぞれ、支柱部３７ａ〜３７ｂ、湾曲部３８ａ〜３８ｂ、上枠部３９、第２孔部４０ａ〜４０ｄ、第３孔部３５ｃ〜３５ｄ、第４孔部３６ｃ〜３６ｄ、第１上枠部材１３の後端部、第２上枠部材１４の後端部に置き換えた構成を有する。
【００３９】
第１上枠部材１３及び第２上枠部材１４は、前後に延びて配置されており、第１主部材１１及び第２主部材１２が有する上枠部３３，３９の端部のうち前後方向に互いに対向する端部の間を接続する。すなわち、第１上枠部材１３は、第１主部材１１及び第２主部材１２が有する上枠部３３，３９の左端部の間を接続する。第２上枠部材１４は、第１主部材１１及び第２主部材１２が有する上枠部３３，３９の右端部の間を接続する。
【００４０】
詳細には、第１上枠部材１３の前端近傍は、第１主部材１１が有する左方の支柱部３１ａの上端、上枠部３３の左端及び湾曲部３２ａの内面に当接することによって、第１主部材１１に保持されている。第１上枠部材１３の後端近傍は、第２主部材１２が有する左方の支柱部３７ａの上端、上枠部３９の左端及び湾曲部３８ａの内面に当接することによって、第２主部材１２に保持されている。
【００４１】
第２上枠部材１４の前端近傍は、第１主部材１１が有する右方の支柱部３１ｂの上端、上枠部３３の右端及び湾曲部３２ｂの内面に当接することによって、第１主部材１１に保持されている。第２上枠部材１４の後端近傍は、第２主部材１２が有する右方の支柱部３７ｂの上端、上枠部３９の右端及び湾曲部３８ｂの内面に当接することによって、第２主部材１２に保持されている。
【００４２】
５つの第１帯部材１５ａ〜１５ｂは、第１上枠部材１３と第２上枠部材１４とに巻かれて外面を形成する。ここでの外面は、人が座る座面に相当する。
【００４３】
詳細には、５つの第１帯部材１５ａ〜１５ｂは、各々の幅方向に互いに重ならないように位置をズラして前後方向に並べられている。第１帯部材１５ａは、前後方向の中央に配置され、後述する第５孔部４４ｂが設けられている。
【００４４】
第１帯部材１５ａ〜１５ｂの各々は、例えば雌雄組み合わされたホックなどのように、取り外し可能に互いに結合する結合部材４１ａ〜４１ｂを端部に備える。前方から見て、第１上枠部材１３と第２上枠部材１４との周囲を包摂するように第１帯部材１５ａ〜１５ｂの各々を巻いて結合部材４１ａ〜４１ｂを留めることで、第１帯部材１５ａ〜１５ｂの各々は第１上枠部材１３と第２上枠部材１４とに固定される。ここで、外面が椅子の座面としての用途に適した張力で５つの第１帯部材１５ａ〜１５ｂの各々が固定されるように、第１帯部材１５ａ〜１５ｂの各々の長さ及び結合部材４１ａ〜４１ｂの位置が、予め決定される。
【００４５】
なお、第１帯部材１５ａ〜１５ｂは、第１上枠部材１３と第２上枠部材１４とに巻かれて外面を形成することができればよく、１つ以上でよい。
【００４６】
第１補強部材１６の各々は、第１主部材１１が有する支柱部３１ａと３１ｂとの間を接続する。具体的には、第１補強部材１６は、左右方向に互いに対向する第１孔部３４ａ、３４ｂと、第１孔部３４ｃ、３４ｄとの各組に１本ずつ挿設されることで、第１主部材１１が有する支柱部３１ａ、３１ｂの軸方向である上下方向に２本並べて複数設けられている。
【００４７】
第２補強部材１７ａ、１７ｂの各々は、第２主部材１２が有する支柱部３７ａ、３７ｂの間を接続する。具体的には、第２補強部材１７ａは、後述する第８孔部４８を有しており、第２孔部４０ａ、４０ｂの組に挿設される。第２補強部材１７ｂは、第２孔部４０ｃ、４０ｄの組に挿設される。これにより、第２補強部材１７ａ、１７ｂは、第２主部材１２が有する支柱部３７ａ、３７ｂの軸方向である上下方向に２本並べて複数設けられている。
【００４８】
なお、第１補強部材１６の本数、及び、第２補強部材１７ａ、１７ｂの本数は、１本以上であれば、何本であってもよい。
【００４９】
４つの第２帯部材１８は、上下に並ぶ第１補強部材１６に巻かれる。複数の第２帯部材１８は、各々の幅方向に互いに重ならないように位置をズラして左右方向に並べられている。
【００５０】
第２帯部材１８の各々は、第１帯部材１５ａ〜１５ｂと同様の結合部材４２ａ〜４２ｂを端部に備える。左方から見て、上下に並ぶ第１補強部材１６の周囲を包摂するように第２帯部材１８の各々を巻いて結合部材４２ａ〜４２ｂを留めることで、第２帯部材１８の各々は上下に並ぶ第１補強部材１６に固定される。ここで、上下に並ぶ第１補強部材１６の間を締め付けることで椅子の強度を強くするように、第２帯部材１８の各々の長さ及び結合部材４２ａ〜４２ｂの位置が、予め決定されるとよい。
【００５１】
４つの第３帯部材１９ａ〜１９ｂは、上下に並ぶ第２補強部材１７ａと１７ｂとに巻かれる。４つの第３帯部材１９ａ〜１９ｂは、各々の幅方向に互いに重ならないように位置をズラして左右方向に並べられている。中央に並べて配置される２つの第３帯部材１９ａは、後述する第８孔部４８ｃが設けられている。
【００５２】
第３帯部材１９ａ〜１９ｂの各々は、第１帯部材１５ａ〜１５ｂと同様の結合部材４３ａ〜４３ｂが端部に設けられている。左方から見て、上下に並ぶ第２補強部材１７ａと１７ｂとの周囲を包摂するように第３帯部材１９ａ〜１９ｂの各々を巻いて結合部材４３ａ〜４３ｂを留めることで、第３帯部材１９ａ〜１９ｂの各々は上下に並ぶ第２補強部材１７ａと１７ｂとに固定される。ここで、上下に並ぶ第２補強部材１７ａと１７ｂとの間を締め付けることで椅子の強度を強くするように、第３帯部材１９ａと１９ｂとの各々の長さ及び結合部材４３ａ〜４３ｂの位置が、予め決定されるとよい。
【００５３】
なお、第２帯部材１８の数、及び、第３帯部材１９ａ〜１９ｂの数は、１つ以上であれば、いくつであってもよい。
【００５４】
第３補強部材２０ａ〜２０ｂ及び第４補強部材２１ａ〜２１ｂは、第１主部材１１及び第２主部材１２が有する支柱部３１ａ〜３１ｂ，３７ａ〜３７ｂのうち、前後方向に互いに対向する支柱部３１ａ及び３７ａ，３１ｂ及び３７ｂの間を接続する。
【００５５】
第３補強部材２０ａと２０ｂとは、左方にて前後方向に互いに対向する支柱部３１ａと３７ａとの間を接続し、第４補強部材２１ａと２１ｂとは、右方にて前後方向に互いに対向する支柱部３１ｂと３７ｂとの間を接続する。
【００５６】
詳細には、第３補強部材２０ａは、後述する第５孔部４４ｃが設けられており、支柱部３１ａの第３孔部３５ａと支柱部３７ａの第３孔部３５ｃとに端部が挿設される。第３補強部材２０ｂは、支柱部３１ａの第３孔部３５ｂと支柱部３７ａの第３孔部３５ｄとに端部近傍が挿設される。
【００５７】
第４補強部材２１ａは、後述する第６孔部４５ｃが設けられており、支柱部３１ｂの第４孔部３６ａと支柱部３７ｂの第４孔部３６ｃとに端部近傍が挿設される。第４補強部材２１ｂは、支柱部３１ｂの第４孔部３６ｂと支柱部３７ｂの第４孔部３６ｄとに端部近傍が挿設される。
【００５８】
第５補強部材２２は、第１主部材１１及び第２主部材１２が有する支柱部３１ａ，３７ａの軸方向、すなわち本実施の形態では上下方向に互いに対向する第１上枠部材１３と第３補強部材２０ａとの間を上下方向に接続する。
【００５９】
詳細には、第５補強部材２２は、第１上枠部材１３に設けられた下方へ開放する第５孔部４４ａと、第１帯部材１５ａに設けられた第５孔部４４ｂと、第３補強部材２０ａに設けられた上方へ開放する第５孔部４４ｃとに挿設される。第５孔部４４ａ〜４４ｃのうち、少なくとも第５孔部４４ａ，４４ｃは、第５補強部材２２がほぼ隙間なく挿設される孔を形成しており、これによって、第５補強部材２２は、その軸が上下方向を向くように、第１上枠部材１３と第３補強部材２０ａとに固定される。
【００６０】
第６補強部材２３は、第１主部材１１及び第２主部材１２が有する支柱部３１ｂ，３７ｂの軸方向、すなわち本実施の形態では上下方向に互いに対向する第２上枠部材１４と第４補強部材２１ａとの間を上下方向に接続する。
【００６１】
詳細には、第６補強部材２３は、第２上枠部材１４に設けられた下方へ開放する第６孔部４５ａと、第１帯部材１５ａに設けられた第６孔部４５ｂと、第４補強部材２１ａに設けられた上方へ開放する第６孔部４５ｃとに挿入される。第６孔部４５ａ〜４５ｃのうち、少なくとも第６孔部４５ａ，４５ｃは、第６補強部材２３がほぼ隙間なく挿設される孔を形成しており、これによって、第６補強部材２３は、その軸が上下方向を向くように、第２上枠部材１４と第４補強部材２１ａとに固定される。
【００６２】
３つの第４帯部材２４は、第５補強部材２２と第６補強部材２３とに巻かれる。複数の第４帯部材２４は、各々の幅方向に互いに重ならないように位置をズラして上下方向に並べられている。
【００６３】
第４帯部材２４の各々は、第１帯部材１５ａ〜１５ｂと同様の結合部材４６ａ〜４６ｂが端部に設けられている。下方から見て、左右に並ぶ第５補強部材２２及び第６補強部材２３の周囲を包摂するように第４帯部材２４の各々を巻いて結合部材４６ａ〜４６ｂを留めることで、第４帯部材２４の各々は第５補強部材２２及び第６補強部材２３に固定される。ここで、左右に並ぶ第５補強部材２２及び第６補強部材２３の間を締め付けることで椅子の強度を強くするように、第４帯部材２４の各々の長さ及び結合部材４６ａ〜４６ｂが、予め決定されるとよい。
【００６４】
なお、第４帯部材２４の数は、１つ以上であれば、いくつであってもよい。
【００６５】
第７補強部材２５は、第５補強部材２２と第６補強部材２３との間を接続する。
【００６６】
詳細には、第７補強部材２５は、３つの第４帯部材２４よりも下方の第５補強部材２２に設けられた右方へ開放する第７孔部４７ａと、３つの第４帯部材２４よりも下方の第６補強部材２３に設けられた左方へ開放する第７孔部４７ｂとに挿設される。第７孔部４７ａ〜４７ｂは、第７補強部材２５がほぼ隙間なく挿設される孔を形成しており、これによって、第７補強部材２５は、その軸が左右方向を向くように、第５補強部材２２と第６補強部材２３とに固定される。
【００６７】
第８補強部材２６は、第２補強部材１７ａと第７補強部材２５との間を接続する。
【００６８】
詳細には、第８補強部材２６は、第７補強部材２５の概ね中央に左右に並べて設けられた下後方へ開放する第８孔部４８ａと、第２補強部材１７ａの概ね中央に左右に並べて設けられた上前方へ開放する第８孔部４８ｂと、２つの第３帯部材１９ａの各々に１つずつ設けられた第８孔部４８ｃとに挿設される。第８孔部４８ａ〜４８ｃのうち、少なくとも第８孔部４８ａ〜４８ｂは、第８補強部材２６がほぼ隙間なく挿設される孔を形成しており、これによって、第８補強部材２６は、その軸が前後方向に傾斜して、第２補強部材１７ａと第７補強部材２５とに固定される。
【００６９】
なお、第８補強部材２６は、本実施の形態では平行に２本設けられているが、何本設けられてもよい。
【００７０】
４つキャップ２７は、典型的には樹脂を材料として作られ、第１主部材１１及び第２主部材１２の各端部に１つずつ取り付けられる。ラベル２８は、典型的には四角い紙片であり、第２主部材１２の外面に取り付けられる。ラベル２８を取り付ける方法としては、接着、粘着テープによる貼付などを例示することができる。
【００７１】
なお、ラベル２８は、第１主部材１１及び第２主部材１２の少なくとも一方の外面に取り付けられればよい。
【００７２】
これまで、本発明の一実施の形態に係る組み立て式什器１０の構成について説明した。ここから、本実施の形態に係る組み立て式什器１０の組み立て方法の一例と分解した状態での各部材１３〜２６の収容方法を、図を参照して説明する。
【００７３】
第１主部材１１の各端部にキャップ２７が取り付けられた後、図１２に示すように、第１主部材１１の湾曲部３２ｂを湾曲させることによって湾曲部３２ｂと支柱部３１ｂと上枠部３３とで囲まれた空間が形成され、この空間に第２上枠部材１４の前端部が挿設される。第６孔部４５ａと第６孔部４５ｂとが上下に対応付けて配置され、第６補強部材２３の上端部が第６孔部４５ａ及び第６孔部４５ｂに挿設される。第６補強部材２３の下端部が第４補強部材２１ａの第６孔部４５ｃに挿設されるとともに、第４補強部材２１ａ〜２１ｂの各々の前端部が、第１主部材１１の支柱３１ｂに設けられた第４孔部３６ａ〜３６ｂに挿設される。
【００７４】
第１上枠部材１３及び第２上枠部材１４の周囲に第１帯部材１５ａを巻いて、第５孔部４４ａと第５孔部４４ｂとを上下に対応付けた状態で、第１帯部材１５ａの結合部材４１ａ〜４１ｂが結合される。第５補強部材２２の上端部が第５孔部４４ａ及び第５孔部４４ｂに挿設される。第１主部材１１の湾曲部３２ａを湾曲させることによって湾曲部３２ａと支柱部３１ａと上枠部３３とで囲まれた空間が形成され、この空間に第１上枠部材１３の前端部が挿設される。第５補強部材２２の下端部が第３補強部材２０ａの第５孔部４４ｃに挿設されるとともに、第３補強部材２０ａ〜２０ｂの各々の前端部が、第１主部材１１の支柱３１ａに設けられた第３孔部３５ａ〜３５ｂに挿設される。
【００７５】
第２主部材１２の各端部にキャップ２７が取り付けられる。第２主部材１２の湾曲部３８ｂを湾曲させることによって湾曲部３８ｂと支柱部３７ｂと上枠部３９とで囲まれた空間が形成され、この空間に第２上枠部材１４の後端部が挿設される。そして、第４補強部材２１ａ〜２１ｂの各々の後端部が、第２主部材１２の支柱３７ｂに設けられた第４孔部３６ｃ〜３６ｄに挿設される。
【００７６】
第２主部材１２の湾曲部３８ａを湾曲させることによって湾曲部３８ａと支柱部３７ｂと上枠部３９とで囲まれた空間が形成され、この空間に第２上枠部材１４の後端部が挿設される。そして、第３補強部材２０ａ〜２０ｂの各々の後端部が、第２主部材１２の支柱３７ａに設けられた第３孔部３５ｃ〜３５ｄに挿設される。
【００７７】
ここまで組み立てた状態から、第１補強部材１６をさらに取り付けるために、第１主部材１１の支柱部３１ａ〜３１ｂの間隔が左右に広げられる。上方の第１補強部材１６が有する各端部を第１孔部３４ａ，３４ｃに挿入し、下方の第１補強部材１６が有する各端部を第１孔部３４ｂ，３４ｄに挿入して、支柱部３１ａ〜３１ｂの各々が上下方向を向いて概ね平行になるように、支柱部３１ａ〜３１ｂの間隔が狭められる。これにより、上方の第１補強部材１６が有する各端部が、第１孔部３４ａ，３４ｃに挿設され、下方の第１補強部材１６が有する各端部が、第１孔部３４ｂ，３４ｄに挿設される。
【００７８】
第７補強部材２５及び第２補強部材１７ａ〜１７ｂをさらに取り付けるために、第２主部材１２の支柱部３７ａ〜３７ｂの間隔が左右に広げられる。第７補強部材２５の各端部が、第８孔部４８ａを下後方へ向くように第７孔部４７ａ〜４７ｂに挿入され、第８補強部材２６の各々の上方の端部が、それぞれ、２つの第８孔部４８ａに挿入される。２つの第８孔部４８ｂと２つの第８孔部４８ｃとのそれぞれを対応付けて第２補強部材１７ａと第３帯部材１９ａとが配置され、第８補強部材２６の各々の下方の端部が、それぞれ、対応付けられた２組の第８孔部４８ｂ及び第８孔部４８ｃに挿入される。第２補強部材１７ａが有する各端部を第２孔部４０ａ，４０ｃに挿入し、第２補強部材１７ｂが有する各端部を第２孔部４０ｂ，４０ｄに挿入して、支柱部３７ａ〜３７ｂの各々が上下方向を向いて概ね平行になるように、支柱部３７ａ〜３７ｂの左右の間隔が狭められる。これにより、第２補強部材１７ａ〜１７ｂ、第７補強部材２５及び第８補強部材２６の各々の端部が、それぞれに挿入された孔部に挿設され、図１３に示す状態となる。
【００７９】
第３帯部材１９ａの各々が、上下に並んだ第２補強部材１７ａ〜１７ｂの周囲に巻かれて、第３帯部材１９ａの各々の結合部材４３ａ〜４３ｂが結合される。これにより、図１４に示す状態となる。
【００８０】
第１帯部材１５ｂの各々が、順次、他の第１帯部材１５ａ〜１５ｂと幅方向に互いに重ならないように前後にズラして配置されて、第１上枠部材１３及び第２上枠部材１４の周囲に巻かれ、第１帯部材１５ａの各々の結合部材４１ａ〜４１ｂが結合される。
【００８１】
第２帯部材１８の各々が、順次、他の第２帯部材１８と幅方向に互いに重ならないように左右にズラして配置されて、上下に並んだ第１補強部材１６の周囲に巻かれ、第２帯部材１８の各々の結合部材４２ａ〜４２ｂが結合される。
【００８２】
第３帯部材１９ｂの各々が、順次、他の第３帯部材１９ａ〜１９ｂと幅方向に互いに重ならないように左右にズラして配置されて、上下に並んだ第２補強部材１７ａ〜１７ｂの周囲に巻かれ、第３帯部材１９ａの各々の結合部材４３ａ〜４３ｂが結合される。
【００８３】
第４帯部材２４の各々が、順次、他の第４帯部材２４と幅方向に互いに重ならないように上下にズラして配置されて、左右に並んだ第５補強部材２２及び第６補強部材２３の周囲に巻かれ、第４帯部材２４ａの各々の結合部材４６ａ〜４６ｂが結合される。これにより、図１５に示す状態となる。
【００８４】
最後に、第２主部材１２の支柱部３７ｂにラベル２８を貼り付ける。これにより、組み立て式什器１０が完成し、キャップ２７を下方へ向けて設置することによって図１に示す状態となる。ラベルには、持ち主の名前、プレゼントする相手の名前、プレゼントする際のメッセージなどが記載されるとよい。
【００８５】
（分解した状態での収容方法）
本実施の形態に係る組み立て式什器１０は、図１６に示すように、第１主部材１１及び第２主部材１２の全体に、他の部材１３〜２８をまとめることができる。なお、同図では、ラベル２８が、組み立て前の第２主部材１２に予め貼り付けられた例を示すが、第１主部材１１又は第２主部材１２に収容されてもよい。
【００８６】
本実施の形態では、第１主部材１１及び第２主部材１２の各々は、伸展させた状態で、長さ、内径、外径が概ね等しい。
【００８７】
第１上枠部材１３及び第２上枠部材１４の各々は、長さ、内径、外径が概ね等しく、その長さは、第１主部材１１及び第２主部材１２の長さの３分の１程度であり、その外径は、第１主部材１１及び第２主部材１２の内径よりも小さい。そのため、第１上枠部材１３及び第２上枠部材１４の各々を、第１主部材１１及び第２主部材１２のいずれにも、軸方向を揃えて内部に収容することができる。
【００８８】
第３補強部材２０ａ〜２０ｂ及び第４補強部材２１ａ〜２１ｂの各々は、長さ、内径、外径が概ね等しく、その長さは、第１主部材１１及び第２主部材１２の長さの３０％程度であり、その外径は、第１上枠部材１３及び第２上枠部材１４の内径よりも小さい。そのため、第３補強部材２０ａ〜２０ｂ及び第４補強部材２１ａ〜２１ｂの各々を、第１主部材１１、第２主部材１２、第１上枠部材１３及び第２上枠部材１４のいずれにも、軸方向を揃えて内部に収容することができる。
【００８９】
第５補強部材２２及び第６補強部材２３の各々は、長さ、内径、外径が概ね等しく、その長さは、第１主部材１１及び第２主部材１２の長さの２０％程度であり、その外径は、第３補強部材２０ａ〜２０ｂ及び第４補強部材２１ａ〜２１ｂの内径よりも小さい。そのため、第５補強部材２２及び第６補強部材２３の各々を、第１主部材１１、第２主部材１２、第１上枠部材１３、第２上枠部材１４、第３補強部材２０ａ〜２０ｂ及び第４補強部材２１ａ〜２１ｂのいずれにも、軸方向を揃えて内部に収容することができる。
【００９０】
第１補強部材１６及び第２補強部材１７ａ〜１７ｂの各々は、長さ、内径、外径が概ね等しく、その長さは、第１主部材１１及び第２主部材１２の長さの２８％程度であり、その外径は、第５補強部材２２及び第６補強部材２３の内径よりも小さい。そのため、第１補強部材１６及び第２補強部材１７ａ〜１７ｂの各々を、第１主部材１１、第２主部材１２、第１上枠部材１３、第２上枠部材１４、第３補強部材２０ａ〜２０ｂ、第４補強部材２１ａ〜２１ｂ、第５補強部材２２及び第６補強部材２３のいずれにも、軸方向を揃えて内部に収容することができる。
【００９１】
第７補強部材２５は、その長さが、第１主部材１１及び第２主部材１２の長さの４分の１程度であり、その外径が、第１補強部材１６及び第２補強部材１７ａ〜１７ｂの外径と概ね等しい。そのため、第７補強部材２５を、第１主部材１１、第２主部材１２、第１上枠部材１３、第２上枠部材１４、第３補強部材２０ａ〜２０ｂ、第４補強部材２１ａ〜２１ｂ、第５補強部材２２及び第６補強部材２３のいずれにも、軸方向を揃えて内部に収容することができる。
【００９２】
第８補強部材２６の各々は、長さ、内径、外径が概ね等しく、その長さは、第１主部材１１及び第２主部材１２の長さの１６％程度であり、その外径は、第１補強部材１６及び第２補強部材１７ａ〜１７ｂの内径よりも小さい。そのため、第８補強部材２６の各々を、第１主部材１１、第２主部材１２、第１上枠部材１３、第２上枠部材１４、第１補強部材１６、第２補強部材１７ａ〜１７ｂ、第３補強部材２０ａ〜２０ｂ、第４補強部材２１ａ〜２１ｂ、第５補強部材２２、第６補強部材２３及び第７補強部材２５のいずれにも、軸方向を揃えて内部に収容することができる。
【００９３】
第１帯部材１５ａ〜１５ｂ、第２帯部材１８、第３帯部材１９ａ〜１９ｂ及び第４帯部材２４の各々は、上述の通り可撓性を有しており、長さは、第１主部材１１及び第２主部材１２の長さよりも短い。そのため、これらの帯部材１５ａ〜１５ｂ，１８，１９ａ〜１９ｂ，２４の各々は、幅方向に湾曲させることによって、第１主部材１１及び第２主部材１２の内部に収容することができる。なお、これらの帯部材１５ａ〜１５ｂ，１８，１９ａ〜１９ｂ，２４の各々は、筒状の部材の間に配置されて、第１主部材１１及び第２主部材１２の内部に収容されてもよい。
【００９４】
組み立て式什器１０を構成する各部材１１〜２６は、このような寸法の関係を有するので、図１６に示すように、第１主部材１１及び第２主部材１２の全体に、他の部材１３〜２６を収容することができる。
【００９５】
同図では、第１上枠部材１３、第２上枠部材１４、１つの第３補強部材２０ａ、１つの第４補強部材２１ａ、第５補強部材２２、第６補強部材２３、２つの第１補強部材１６、１つの第２補強部材１７ａ、２つの第８補強部材２６及び４つの第３帯部材１９ａ〜１９ｂを第１主部材１１に収容する例を示す。また、１つの第３補強部材２０ｂ、１つの第４補強部材２１ｂ、１つの第２補強部材１７ｂ、第７補強部材２５、５つの第１帯部材１５ａ〜１５ｂ、４つの第２帯部材１８、３つの第４帯部材２４を第２主部材１２に収容する例を示す。４つのキャップ２７の各々は、第１主部材１１及び第２主部材１２の各端部に取り付けられ、これによって、第１主部材１１及び第２主部材１２の各端部を塞ぐことができる。
【００９６】
このように、本実施の形態によれば、組み立て式什器１０を分解した状態において、組み立て式什器１０を構成する部材１１〜２６のうち第１主部材１１及び第２主部材１２以外の部材１３〜２６は、湾曲部３２ａ〜３２ｂ，３８ａ〜３８ｂを伸ばした２つの主部材１１，１２の内部に収容できる。そのため、組み立て式什器１０を構成する各部材１１〜２８を収容するための容器などを準備しなくても、組み立て式什器１０を構成する各部材１３〜２８を２つの筒状の部材である第１主部材１１及び第２主部材１２にまとめることができる。従って、分解した状態でより容易に運搬することが可能になる。
【００９７】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【００９８】
実施の形態では、第１主部材１１、第２主部材１２、第１上枠部材１３、第２上枠部材１４、第１補強部材１６、第２補強部材１７ａ〜１７ｂ、第３補強部材２０ａ〜２０ｂ、第４補強部材２１ａ〜２１ｂ、第５補強部材２２、第６補強部材２３、第７補強部材２５及び第８補強部材２６が、円筒状である例により説明した。しかし、これらの各部材１１〜２６の形状は、円筒状に限られず、第１主部材１１及び第２主部材１２の内部に、その他の部材１３〜２６を収容できるように設けられればよい。
【００９９】
例えば、各部材１１〜２６の一部又は全部が、長さ方向から見て矩形をなす角筒状であってもよい。また、第１主部材１１及び第２主部材１２の内部に収容される各部材１３〜２６は、柱状であれば、中空であってもよく、中身が詰まっていてもよい。このような場合、キャップ２８は、第１主部材１１及び第２主部材１２の各端部に取り付けられる形状であればよい。
【０１００】
実施の形態では、組み立て式什器１０が複数の部材１１〜２８から組み立てられる例を説明したが、什器である椅子としての機能を実現できるものであれば、部材１１〜２８の一部を備えなくてもよい。
【０１０１】
例えば、第１主部材１１及び第２主部材１２と、第１上枠部材１３及び第２上枠部材１４と、第１帯部材１５ａ〜１５ｂと、第１補強部材１６と、第２補強部材１７ａ〜１７ｂと、第３補強部材２０ａ〜２０ｂ及び第４補強部材２１ａ〜２１ｂとを実施の形態と同様に組み立てることで、椅子としての機能を実現できる。
【０１０２】
この場合も、実施の形態と同様に、第１上枠部材１３、第２上枠部材１４、第１帯部材１５ａ〜１５ｂ、第１補強部材１６、第２補強部材１７ａ〜１７ｂ、第３補強部材２０ａ〜２０ｂ及び第４補強部材２１ａ〜２１ｂが、湾曲部３２ａ〜３２ｂ，３８ａ〜３８ｂの各々が伸展した第１主部材１１及び第２主部材１２の内部に収容される大きさであればよい。これにより、組み立て式什器を構成する各部材１３〜１７，２０〜２１を２つの筒状の部材である第１主部材１１及び第２主部材１２にまとめることができるので、分解した状態でより容易に運搬することが可能になる。
【０１０３】
また例えば、部材１３〜１７，２０〜２１に加えて、第２帯部材１８を実施の形態と同様に組み立てることで、椅子としての機能を実現できる。この場合、第１補強部材１６は、実施の形態と同様に、第１主部材１１が有する支柱部３１ａ〜３１ｂの軸方向に並べて複数設けられる。このように構成することで、組み立て式什器が部材１３〜１７，２０〜２１のみから構成される場合よりも、組み立てられた椅子の強度を強くすることができる。
【０１０４】
第２帯部材１８は、実施の形態と同様に、湾曲部３２ａ〜３２ｂ，３８ａ〜３８ｂの各々が伸展した第１主部材１１及び第２主部材１２の内部に収容される大きさであればよい。これにより、組み立て式什器を構成する各部材１３〜１８，２０〜２１を２つの筒状の部材である第１主部材１１及び第２主部材１２にまとめることができるので、分解した状態でより容易に運搬することが可能になる。
【０１０５】
さらに例えば、部材１３〜１７，２０〜２１又は部材１３〜１８，２０〜２１に加えて、第５補強部材２２、第６補強部材２３及び第４帯部材２４を実施の形態と同様に組み立てることで、椅子としての機能を実現できる。このように構成することで、組み立て式什器が部材１３〜１７，２０〜２１のみから構成される場合、又は、組み立て式什器が部材１３〜１８，２０〜２１のみから構成される場合よりも、組み立てられた椅子の強度を強くすることができる。
【０１０６】
第５補強部材２２、第６補強部材２３及び第４帯部材２４は、実施の形態と同様に、湾曲部３２ａ〜３２ｂ，３８ａ〜３８ｂの各々が伸展した第１主部材１１及び第２主部材１２の内部に収容される大きさであればよい。これにより、組み立て式什器を構成する各部材１３〜１７，２０〜２４又は各部材１３〜１８，２０〜２４を２つの筒状の部材である第１主部材１１及び第２主部材１２にまとめることができるので、分解した状態でより容易に運搬することが可能になる。
【０１０７】
さらに例えば、部材１３〜１７，２０〜２１、部材１３〜１８，２０〜２１、部材１３〜１７，２０〜２４又は部材１３〜１８，２０〜２４に加えて、第７補強部材２５及び第８補強部材２６を実施の形態と同様に組み立てることで、椅子としての機能を実現できる。このように構成することで、組み立て式什器が部材１３〜１７，２０〜２１のみから構成される場合、組み立て式什器が部材１３〜１８，２０〜２１のみから構成される場合、組み立て式什器が部材１３〜１７，２０〜２４のみから構成される場合又は組み立て式什器が部材１３〜１８，２０〜２４のみから構成される場合よりも、組み立てられた椅子の強度を強くすることができる。
【０１０８】
第７補強部材２５及び第８補強部材２６は、実施の形態と同様に、湾曲部３２ａ〜３２ｂ，３８ａ〜３８ｂの各々が伸展した第１主部材１１及び第２主部材１２の内部に収容される大きさであればよい。これにより、組み立て式什器を構成する各部材１３〜１７，２０〜２１，２５〜２６、各部材１３〜１８，２０〜２１，２５〜２６、各部材１３〜１７，２０〜２６又は各部材１３〜１８，２０〜２６を２つの筒状の部材である第１主部材１１及び第２主部材１２にまとめることができるので、分解した状態でより容易に運搬することが可能になる。
【０１０９】
（変形例１）
実施の形態では、組み立て式什器１０が、組み立て式の椅子である例により説明したが、組み立て式什器１０は、椅子に限られず、テーブル、棚などの種々の什器であってよい。
【０１１０】
変形例１に係る組み立て式什器１１０は、図１７，１８に示すように、組み立て式のテーブルである。図１７は、組み立て式什器１１０を組み立てた状態での斜視図であり、図１８は、組み立て式什器１１０を構成する各部材を示す図である。
【０１１１】
組み立て式什器１１０は、第１主部材１１１、第２主部材１１２、第１上枠部材１１３、第２上枠部材１１４、５つの第１帯部材１１５ｂ、２つの第１補強部材１１６、２つの第２補強部材１１７ｂ、８つの第２帯部材１１８、８つの第３帯部材１１９ｂ、２つの第３補強部材１２０ｂ、２つの第４補強部材１２１ｂ、４つのキャップ１２７，及びラベル１２８を備える。
【０１１２】
これらの部材１１１〜１１４，１１５ｂ，１１６，１１７ｂ，１１８，１１９ｂ，１２０ｂ，１２１ｂ，１２７，１２８は、それぞれ、実施の形態に係る部材１１〜１４，１５ｂ，１６，１７ｂ，１８，１９ｂ，２０ｂ，２１ｂ，２７，２８に対応する構成を備える。本変形例と実施の形態との対応する部材同士では、寸法などが適宜変更され、これにより、組み立て式什器１１０は、組み立てた状態でテーブルとしての機能を発揮することができる。
【０１１３】
（変形例２）
変形例２に係る組み立て式什器２１０は、図１９，２０に示すように、組み立て式の棚である。図１９は、組み立て式什器２１０を組み立てた状態での斜視図であり、図２０は、本変形例に係る組み立て式什器２１０を構成する各部材を示す図である。
【０１１４】
組み立て式什器２１０は、第１主部材２１１、第２主部材２１２、第１上枠部材２１３、第２上枠部材２１４、５つの第１帯部材２１５ｂ、２つの第１補強部材１１６、２つの第２補強部材２１７ｂ、４つの第２帯部材２１８、４つの第３帯部材２１９ｂ、２つの第３補強部材２２０ｂ、２つの第４補強部材２２１ｂ、４つのキャップ２２７と、ラベル２２８と、帯状で可撓性を有する５つの第５帯部材２４９とを備える。
【０１１５】
部材２１１〜２１４，２１５ｂ，２１６，２１７ｂ，２１８，２１９ｂ，２２０ｂ，２２１ｂ，２２７，２２８は、それぞれ、実施の形態に係る部材１１〜１４，１５ｂ，１６，１７ａ〜１７ｂ，１８，１９ａ〜１９ｂ，２０ｂ，２１ｂ，２７，２８に対応する構成を備える。本変形例と実施の形態との対応する部材同士では、寸法などが適宜変更されてもよい。
【０１１６】
５つの第５帯部材２４９は、上方の第３補強部材２２０ｂと上方の第４補強部材２２１ｂとに巻かれて、上面に棚面を形成する。詳細には、５つの第５帯部材２４９は、５つの実施の形態１に係る５つの第１帯部材１５ａ〜１５ｂと同様に、各々の幅方向に互いに重ならないように位置をズラして前後方向に並べられて、結合部材２５０ａ〜２５０ｂで端部近傍が結合している。これにより、５つの第１帯部材２１５ｂが形成する外面と５つの第５帯部材２４９とが、それぞれ、上方及び下方の棚面となり、本変形例に係る組み立て式什器２１０は、組み立てた状態で棚としての機能を発揮することができる。
【０１１７】
（変形例３）
上述の例で示した各什器に、付属部品を取りつけてもよい。
例えば、図２１に示すように、背もたれを付けても良い。
この什器３１０は、椅子であり、円筒状でコの字状をなして互いに対向して左右に配置された第１主部材３１１と第２主部材３１２とを備える。
【０１１８】
第１主部材３１１は、互いに平行で等しい長さで延びる２つの支柱部３３１ａ、３３１ｂ、２つの支柱部３３１ａ、３３１ｂのそれぞれに接続して湾曲する２つの湾曲部３３２ａ、３３２ｂ、２つの湾曲部３３２ａ、３３２ｂの間を接続する上枠部３３３を含む。湾曲部３３２ａ、３３２ｂは、円筒の一部を切り欠いた形状を有する。
【０１１９】
第２主部材３１２は、互いに平行で等しい長さで延びる２つの支柱部３３７ａ、３３７ｂ、２つの支柱部３３７ａ、３３７ｂのそれぞれに接続して湾曲する２つの湾曲部３３８ａ、３３８ｂ、２つの湾曲部３３８ａ、３３８ｂの間を接続する上枠部３３９を含む。湾曲部３３８ａ、３３８ｂは、円筒の一部を切り欠いた形状を有する。
【０１２０】
第１主部材３１１の湾曲部３３２ａと第２主部材３１２の湾曲部３３８ａとの間、即ち、上枠部３３３の一端部と上枠部３３９の一端部との間には円筒状の第１上枠部材３１３が配置されている。第１主部材３１１の湾曲部３３２ｂと第２主部材３１２の湾曲部３３８ｂとの間には円筒の第２上枠部材３１４が配置されている。
【０１２１】
第１主部材３１１の前方の支柱部３３１ａと第２主部材３１２の前方の支柱部３３７ａの対向部分には、穴部が形成され、この穴部に円筒状の補強部材３２０の両端部が挿通されている。第１主部材３１１の後方の支柱部３３１ｂと第２主部材３１２の後方の支柱部３３７ｂの対向部分には、穴部が形成され、この穴部に円筒状の補強部材３２１の両端部が挿通されている。
【０１２２】
第１主部材３１１の上枠部３３３と第２主部材３１２の上枠部３３９の中央部より後方の上面に、背もたれ形成用の穴部が形成されている。この穴部には、円筒状の第１円筒部材３１５と第２円筒部３１６の下端部が、それぞれ挿入される。
【０１２３】
第１円筒部材３１５の上端部と第２円筒部材３１６の上端部の対向する位置には、穴部が形成され、この穴部には円筒状の補強部材３１７が配置されている。
補強部材３２１と３１７の対向する位置には、２つの穴部が形成されており、この穴部には円筒状の２つの補強部材３１８の両端部が挿入され、補強部材３１７を下方から支持している。
【０１２４】
図２２に示すように、座面３４１と背もたれ３４２は、布、革等の柔軟な部材から構成され、両端に筒状部３４１ａ、３４１ｂ、３４２ａ、３４２ｂが形成されている。
【０１２５】
座面３４１の筒部３４１ａには第１上枠部材３１３が、筒部３４１ｂには第２上枠部材３１４が挿通される。背もたれ３４２の筒部３４２ａには第１円筒部材３１５が、筒部３４２ｂには第２円筒部材３１６が挿通される。
また、補強部材３２０と３２１の間には、補強用ベルト３４３が掛け回されている。
【０１２６】
図２３に示すように、第１主部材３１１と第２主部材３１２とは、同一の径と長さを有する。第１上枠部材３１３と第２上枠部材３１４とは、互いに同一の外径と長さを有し、第１主部材３１１と第２主部材３１２に収納可能である。第１円筒部材３１５と第２円筒部材３１６は互いに同一の外径と長さを有し、第１上枠部材３１３と第２上枠部材３１４に挿入可能である。
補強部材３１７、３２０、３２１は、互いに同一の外形と長さを有し、第１円筒部材３１５と第２円筒部材３１６に挿入可能である。補強部材３１８は互いに同一の長さと外径を有し、補強部材３１７、３２０、３２１に挿入可能である。
【０１２７】
このため、第１上枠部材３１３、第２上枠部材３１４、第１円筒部材３１５、第２円筒部材３１６、補強部材３１７、３２０、３２１は、第１主部材３１１と第２主部材３１２に収容される。さらに、座面３４１と背もたれ３４２とベルト１４３は、丸めて、主部材３１、３１２に収容される。
【０１２８】
この変形例に係る什器３１０も、主部材３１１と３１２を折り曲げ、各部材の穴部に他の部材の端部を挿入することで比較的簡単に組み立てることができる。また、分解することもできる。また、収納にスペースを要しない。
【０１２９】
なお、主部材３１１と３１２に背もたれ用の円筒部材３１５と３１６を配置したが、
第１上枠部材３１３と第２上枠部材３１４とに、背もたれ用の円筒部材３１５と３１６を配置してもよい。
【０１３０】
（変形例４）
以上説明した例では、コ字状に折り曲げられる２つの主部材を使用したが、主部材は１つでもよい。以下、折り曲げられる主部材を１つ使用する例を説明する。
【０１３１】
図２４に示す什器４１０は、椅子又は載置台であり、筒状で、コの字状をなす主部材４１２を備える。主部材４１２は、互いに平行で等しい長さで延びる２つの支柱部４３７ａ、４３７ｂ、２つの支柱部４３７ａ、４３７ｂのそれぞれに接続して湾曲する２つの湾曲部４３８ａ、４３８ｂ、２つの湾曲部４３８ａ、４３８ｂの間を接続する上枠部４３９を含む。
主部材４１２の湾曲部４３８ａと湾曲部４３８ｂには円筒状の第１上枠部材４１３と第２上枠部材４１４の一端部が配置されている。
【０１３２】
第１上枠部材４１３と第２上枠部材４１４の他端部の下面には穴部が形成され、この穴部には、立設された第１支柱部材４３１と第２支柱部材４３２の上端部が挿入されている。第１支柱部材４３１と第２主柱部材４３２は、それぞれ、第１上枠部材４１３と第２上枠部材４１４の他端部を下方から支持する。
【０１３３】
主部材４１２の支柱部４３７ａと第１支柱部材４３１の対向部には、穴部が形成され、補強部材４２０の両端部が挿入されている。主部材４１２の支柱部４３７ｂと第２支柱部材４３２の対向部には、穴部が形成され、円筒状の補強部材４２１の両端部が挿入されている。
【０１３４】
補強部材４２０と補強部材４２１の対向部には、穴部が形成され、３つの円筒状の補強部材４２２の両端部が挿入されている。
【０１３５】
図２５に示すように、補強部材４２０、４２１には、布、革などから形成された面部材４４１が配置されている。この面部材４４１は、両端に複数形成された穴にヒモ４４２を通して締めて面を形成する。面部材４４１は、補強部材４２０、４２１、４２２により支持される。
【０１３６】
各部材は、図２６に示すような、長さと径を有し、上述の例と同様に、最も太く長い主部材４１２内に、収納可能である。
【０１３７】
（変形例５）
以上説明した例では、コ字状に折り曲げられる主部材を使用したが、主部材の折り曲げ箇所は１箇所でもよい。以下、主部材の折り曲げ箇所を１つとする例を説明する。
【０１３８】
図２７に示す什器５１０は、椅子であり、円筒状で、「く」の字状をなして互いに対向して左右に配置された第１主部材５１１と第２主部材５１２とを備える。
第１主部材５１１と第２主部材５１２は、それぞれ、図２９に示すように、円筒形を有し、その中央部の一カ所が切り欠かれて湾曲部とされた構造を有する。
【０１３９】
図２７に示すように、第１主部材５１１は、傾斜して延びる２つの支柱部５３１ａ、５３１ｂ、２つの支柱部５３１ａ、５３１ｂに接続して湾曲する湾曲部５３２を含む。第２主部材５１２は、傾斜して延びる２つの支柱部５３７ａ、５３７ｂ、２つの支柱部５３７ａ、５３７ｂに接続して湾曲する湾曲部５３８を含む。
【０１４０】
第１主部材５１１の湾曲部５３２と第２主部材５１２の湾曲部５３８との間には円筒状の上部部材５１３が配置されている。
【０１４１】
第１主部材５１１の前方の支柱部５３１ａには貫通穴が形成され、後方の支柱部５３１ｂの前面には同一の高さに穴部が形成され、円筒状の第１支持部材（水平部材）５２０が水平に挿入されている。第２主部材５１２の前方の支柱部５３７ａには貫通穴が形成され、後方の支柱部５３７ｂの前面側には同一の高さに穴部が形成され、円筒状の第２支持部材（水平部材）５２１が水平に挿入されている。
【０１４２】
第１主部材５１１の前方の支柱部５３１ａの下端部と、第１支持部材５２０の先端部の対向部分には穴部が形成され、この穴部に補強部材５４１の両端部が挿入されている。補強部材５４１は下方から第１支持部材５２０の先端部を支持している。
【０１４３】
第２主部材５１２の前方の支柱部５３７ａの下端部と、第２支持部材５２１の先端部の対向部分には穴部が形成され、この穴部に補強部材５４２の両端部が挿入されている。補強部材５４２は下方から第２支持部材５２１の先端部を支持している。
【０１４４】
第１支持部材５２０と第２支持部材５２１の対向位置には３つの穴部が形成されており、３つの補強部材５５１の両端部が挿入されている。
【０１４５】
さらに、第１主部材５１１の後方の支柱部５３１ｂと、第２主部材５１２の後方の支柱部５３７ｂの対向面、及び、第１支持部材５２０の支柱部５３１ｂに挿入されている部分、および、第２支持部材５２１の支柱部５３７ｂに挿入されている部分には、穴部が形成されており、補強部材５５２の両端部が挿入されている。
【０１４６】
図２８に示すように、補強部材５５１、５５２には、布、革などから形成された面部材５６１が配置されている。面部材５６１は、ヒモ５６２により締められ、補強部材５５１、５５２により支持される。
【０１４７】
各部材は、図２９に示すような、長さと径を有し、最も太く長い主部材５１１、５１２内に、他の部材が収納される。
【０１４８】
（変形例６）
以上説明した例では、折り曲げられる主部材を使用したが、このような部材を使用しない構成も可能である。折り曲げられる部材を使用しない例を説明する。
図３０に示す什器６１０は、椅子であり、筒状で互いに平行で等しい長さで鉛直方向に延びる第１と第２の主支柱部６３７、６３８を備える。
【０１４９】
第１と第２の主支柱部６３７と６３８の正面部分には、穴部が形成され、円筒状の第１上枠部材６１３と第２上枠部材６１４の一端部が挿入されている。
第１上枠部材６１３と第２上枠部材６１４の他端部の下面には穴部が形成され、この穴部には、立設された第１支柱部６３１と第２の支柱部６３２の上端部が挿入されている。第１支柱部６３１と第２支柱部６３２は、それぞれ、第１上枠部材６１３と第２上枠部材６１４の他端部を下方から支持する。
【０１５０】
第１支柱部６３１と第２支柱部６３２の対向部分には穴部が形成され、この穴部には円筒状補強部材６１６の両端部が挿入されている。
第１主支柱部６３７と第２主支柱部６３８の対向部分で、補強部材６１６と同一の高さの位置には穴部が形成され、この穴部には円筒状補強部材６１７の両端部が挿入されている。
【０１５１】
さらに、第１主支柱部６３７と第２主支柱部６３８の対向部分で、第１と第２の上枠部材６１３と６１４より上の位置には穴部が形成され、この穴部には２つの円筒状補強部材６１８の両端部が挿入されている。２つの円筒状補強部材６１８は背もたれを構成する。
また、第１主支柱部６３７と第１支柱部６３１との間には、補強部材６２０が渡されている。
【０１５２】
さらに、第２主支柱部６３８と第２支柱部６３２との間には、補強部材６２１が渡されている。
【０１５３】
図３１に示すように、第１上枠部材６１３と第２上枠部材６１４には、布、革などから形成された面部材６６１が配置されている。
また、補強部材６１６と６１７間には、ベルト６６２が締結されている。
各部材は、図３２に示すような、長さと径を有し、最も太く長い主部材６３７、６３８内に、他の部材が収納される。
【０１５４】
（変形例７）
また、図３３に示すように、平板な材料を使用しないように構成してもよい。
この什器７１０は椅子、テーブル、棚であり、円筒状で、コの字状をなして互いに対向して左右に配置された第１主部材７１１と第２主部材７１２とを備える。
【０１５５】
第１主部材７１１は、２つの支柱部７３１ａ、７３１ｂ、２つの湾曲部７３２ａ、７３２ｂ、上枠部７３３を含む。湾曲部７３２ａ、７３２ｂは、円筒の一部を切り欠いた形状を有する。第２主部材７１２は、２つの支柱部７３７ａ、７３７ｂ、２つの湾曲部７３８ａ、７３８ｂ、上枠部７３９を含む。湾曲部７３８ａ、７３８ｂは、円筒の一部を切り欠いた形状を有する。
【０１５６】
湾曲部７３２ａと湾曲部７３８ａとの間には円筒状の第１上枠部材７１３が配置されている。湾曲部７３２ｂと湾曲部７３８ｂとの間には円筒状の第２上枠部材７１４が配置されている。
【０１５７】
支柱部７３１ａと支柱部７３７ａの間には、補強部材７２０が接続されている。支柱部７３１ｂと支柱部７３７ｂの間には、補強部材７２１が接続されている。
【０１５８】
支柱部７３１ａと７３１ｂの間には、補強部材７２２が接続されている。支柱部７３７ａと７３７ｂの間には、補強部材７２３が接続されている。
上枠部材７１３と上枠部材７１４の複数の対向部分に穴部が形成され、これらの穴部に円筒部材７３１の両端が挿入されている。
【０１５９】
上枠部材７１３、７１４と円筒部材７３１が什器７１０の座面を形成する。
各部材は、図３４に示すような、長さと径を有し、最も太く長い主部材７１１、７１２内に、他の部材が収納される。
【符号の説明】
【０１６０】
１０，１１０，２１０，３１０，４１０，５１０，６１０，７１０  組み立て式什器
１１，１１１，２１１，３１１，５１１，７１１  第１主部材
１２，１１２，２１２，３１２，５１２，７１２  第２主部材
４１２  主部材
１３，１１３，２１３，３１３，４１３，６１３  第１上枠部材
１４，１１４，２１４，３１４，４１４，６１４  第２上枠部材
１５ａ〜１５ｂ，１１５ｂ，２１５ｂ  第１帯部材
１６，１１６，２１６  第１補強部材
１７ａ〜１７ｂ，１１７ｂ，２１７ｂ  第２補強部材
１８，１１８，２１８  第２帯部材
１９ａ〜１９ｂ，１１９ａ〜１１９ｂ，２１９ｂ  第３帯部材
２０ａ〜２０ｂ，１２０ｂ，２２０ｂ  第３補強部材
２１ａ〜２１ｂ，１２１ｂ，２２１ｂ  第４補強部材
２２  第５補強部材
２３  第６補強部材
２４  第４帯部材
２５  第７補強部材
２６  第８補強部材
５２０  第１支持部材
５２１  第２支持部材
６３１  第１支柱部
６３２  第２支柱部
６３７  第１主支柱部
６３８  第２主支柱部
７１３，７１４  上枠部材
１４３，６６２  ベルト
３１７，３２０，３２１，４２０，４２１，４２２，７２０，７２１，７２２，７２３  補強部材
３４１  座面
３４２  背もたれ
４４２  ヒモ
４４１，６６１  面部材
２７，１２７，２２７  キャップ
２８，１２８，２２８  ラベル
３１ａ〜３１ｂ，３７ａ〜３７ｂ  支柱部
３２ａ〜３２ｂ，３８ａ〜３８ｂ  湾曲部
３３，３９  上枠部
３４ａ〜３４ｄ  第１孔部
３５ａ〜３５ｄ  第３孔部
３６ａ〜３６ｄ  第４孔部
４０ａ〜４０ｄ  第２孔部
４１ａ〜４１ｂ，４２ａ〜４２ｂ，４３ａ〜４３ｂ，４６ａ〜４６ｂ，２５０ａ〜２５０ｂ  結合部材
４４ａ〜４４ｃ  第５孔部
４５ａ〜４５ｃ  第６孔部
４７ａ〜４７ｂ  第７孔部
４８ａ〜４８ｃ  第８孔部
２４９  第５帯部材
【図１】
0006721898.tif 000002
【図２】
0006721898.tif 000003
【図３】
0006721898.tif 000004
【図４】
0006721898.tif 000005
【図５】
0006721898.tif 000006
【図６】
0006721898.tif 000007
【図７】
0006721898.tif 000008
【図８】
0006721898.tif 000009
【図９】
0006721898.tif 000010
【図１０】
0006721898.tif 000011
【図１１】
0006721898.tif 000012
【図１２】
0006721898.tif 000013
【図１３】
0006721898.tif 000014
【図１４】
0006721898.tif 000015
【図１５】
0006721898.tif 000016
【図１６】
0006721898.tif 000017
【図１７】
0006721898.tif 000018
【図１８】
0006721898.tif 000019
【図１９】
0006721898.tif 000020
【図２０】
0006721898.tif 000021
【図２１】
0006721898.tif 000022
【図２２】
0006721898.tif 000023
【図２３】
0006721898.tif 000024
【図２４】
0006721898.tif 000025
【図２５】
0006721898.tif 000026
【図２６】
0006721898.tif 000027
【図２７】
0006721898.tif 000028
【図２８】
0006721898.tif 000029
【図２９】
0006721898.tif 000030
【図３０】
0006721898.tif 000031
【図３１】
0006721898.tif 000032
【図３２】
0006721898.tif 000033
【図３３】
0006721898.tif 000034
【図３４】
0006721898.tif 000035